(57)【要約】    【課題】      簡単な方法で集団を形成し、集団から離れたときコストを掛けずにそれを知らせること。    【解決手段】  登録処理部１２２は、入力された共通のグループコード１０２を記憶部１２０に記憶して集団を形成し、発信処理部１２３は、発信周期ｔ１に従って記憶部１２０に記憶された共通のグループコード１０２による呼び出し信号１０４を定期的に近距離通信部１１２から発信し、受信処理部１２４は、他の携帯通信装置１０３が発信する共通のグループコード１０２を含む呼び出し信号１０４を近距離通信部１１２によって受信し、離脱警告時間ｔ２以上共通のグループコード１０２を含む呼び出し信号１０４を受信できないとき警告を発する。  【選択図】    図４
2007074574.tif 000002
【特許請求の範囲】
【請求項１】
近距離にある携帯通信装置と直接無線による通信を行う近距離通信手段と、
複数の携帯通信装置によって形成される集団を識別するグループ情報を記憶する記憶手段と、
前記グループ情報によって同じ集団を形成する他の携帯通信装置と前記近距離通信手段による通信が行えることを監視する監視手段と、
前記監視手段において前記同じ集団を形成する他の携帯通信装置と前記近距離通信手段による通信が行えない場合、前記集団から離脱したことを知らせる報知手段と、
を備えることを特徴とする携帯通信装置。
【請求項２】
前記グループ情報を前記記憶手段に記憶する登録手段を備えることを特徴とする請求項１に記載の携帯通信装置。
【請求項３】
前記グループ情報は、同じ集団内で共通のグループコードであり、前記近距離通信手段は、前記同じ集団を形成する他の携帯通信装置が発信する前記共通のグループコードを含む呼び出し信号を受信し、前記監視手段は、前記近距離通信手段による前記共通のグループコードを含む呼び出し信号の受信を定期的に監視し、前記共通のグループコードを含む呼び出し信号を所定時間以上受信できない場合、前記報知手段によって前記集団から離脱したことを知らせることを特徴とする請求項１又は請求項２に記載の携帯通信装置。
【請求項４】
前記近距離通信手段は、前記記憶手段に記憶される前記共通のグループコードを含む呼び出し信号を定期的に発信する発信手段を備えることを特徴とする請求項３に記載の携帯通信装置。
【請求項５】
前記グループ情報は、同じ集団を形成する他の携帯通信装置を装置識別情報によって記憶したメンバーリストであり、前記近距離通信手段は、前記メンバーリストに記憶された前記装置識別情報を含む照会信号を定期的に送信して前記照会信号に対する応答信号を受信し、前記監視手段は、前記近距離通信手段によって定期的に送信される照会信号に対する応答信号の受信を監視し、前記メンバーリストに記憶された全ての前記装置識別情報が示す携帯通信装置に照会信号を送信したにもかかわらず、前記メンバーリストに記憶されたどの前記装置識別情報が示す携帯通信装置の応答信号も受信できなかったとき、前記報知手段によって前記集団から離脱したことを知らせることを特徴とする請求項１または請求項２に記載の携帯通信装置。
【請求項６】
複数の携帯通信装置を基地局及び通信ネットワークを介して監視センタに接続した集団監視システムであって、
前記携帯通信装置は、
前記監視センタと前記通信ネットワーク及び基地局を介して通信を行う基地局通信手段と、
近距離にある携帯通信装置と直接無線による通信を行う近距離通信手段と、
前記複数の携帯通信装置によって形成される集団を識別するグループ情報を記憶する記憶手段と、
前記グループ情報によって同じ集団を形成する他の携帯通信装置と前記近距離通信手段による通信が行えることを監視する監視手段と、
前記監視手段において前記同じ集団を形成する他の携帯通信装置と前記近距離通信手段による通信が行えない場合、前記基地局通信手段によって孤立したことを示すデータを前記監視センタに送信する報知手段と、
を備え、
前記監視センタは、
前記携帯通信装置と前記基地局及び通信ネットワークを介して通信を行う通信手段と、
前記携帯通信装置の連絡先を記憶する記憶手段と、
前記通信手段を介して前記携帯通信装置から前記孤立したことを示すデータを受信したとき、前記記憶手段に記憶された前記携帯通信装置の連絡先に前記集団から離脱したことを送信する離脱連絡手段と、
を備えることを特徴とする集団監視システム。
【請求項７】
前記携帯通信装置は、前記グループ情報を前記記憶手段に記憶する登録手段を備えることを特徴とする請求項６に記載の集団監視システム。
【請求項８】
前記携帯通信装置は、自装置の地理上の位置情報を取得する位置情報取得手段を備え、
前記報知手段は、前記監視手段において前記同じ集団を形成する他の携帯通信装置と前記近距離通信手段による通信が行えない場合、前記孤立したことを示すデータと、前記位置情報取得手段によって取得した前記位置情報を前記監視センタに送信し、前記監視センタの前記離脱連絡手段は、受信した前記位置情報を前記連絡先に送信することを特徴とする請求項６または請求項７に記載の集団監視システム。
【発明の詳細な説明】
【技術分野】
【０００１】
本発明は、近距離にある携帯通信装置と直接無線により通信を行う近距離通信機能を備えた携帯通信装置及び集団監視システムに関し、特に、近距離通信機能を利用して集団からの離脱を監視する携帯通信装置及び集団監視システムに関する。
【背景技術】
【０００２】
子供、高齢者、自動車、二輪車、及びペットなどに携帯通信装置を所持又は装着させて携帯通信装置のＧＰＳ測位信号による位置情報をもとに現在位置を追跡するサービスは既に商品化されており（例えば、非特許文献１）、集団から離脱したことを通知する各種システムが文献に記載されている（例えば、特許文献１、特許文献２、特許文献３）。
【０００３】
非特許文献１では、例えば、携帯通信装置を所持している子供が迷子になったとき、親から連絡を受けた監視センタが子供の携帯通信装置に現在位置を送信するように要求し、子供の現在位置を親に連絡するサービスや、所定時間ごとに携帯通信装置から送信される位置情報をパソコンなどに表示して現在位置を追跡するサービスなどがある。
【０００４】
特許文献１の探索システムは、入場者にグループを識別するためのバーコードを貼り付けたリストバンド又は紐付きフォルダなどを携帯させ、迷子になった場合又は迷子を捜す場合、施設内に設置された端末にバーコードを読み取らせて迷子の登録又は迷子を探す登録を行うと、後に登録した端末に先に迷子情報が登録された端末の位置を表示する。
【０００５】
特許文献２の携帯電話システムでは、基地局に複数の携帯通信装置をグループとするグループ設定情報を登録し、グループ設定情報に登録された携帯通信装置が基地局の通信サービスエリアから出たとき、同じグループの他の携帯通信装置に報知する。
【０００６】
特許文献３のカーナビゲーション装置では、リーダー車両のＧＰＳ信号による位置情報を定期的に他の車両に送信し、他の車両では自車のＧＰＳ信号による位置情報とリーダー車両の位置情報から求めたリーダー車両との距離が所定値以上になると自動的に警告メッセージを発してリーダー車両に追いつくルートを検索する。
【非特許文献１】ココセコムのパンフレット、２００３年１２月４日版
【特許文献１】特開２００３−１５０７４１号公報（図７）
【特許文献２】特許第３０１５７０８号公報（図５）
【特許文献３】特開２００２−１６８６４０号公報（図３）
【発明の開示】
【発明が解決しようとする課題】
【０００７】
しかしながら、従来の商品化されているサービスでは、子供が迷子になっている、又は誘拐されたのではないかと気がつくまでは位置検索が行われないため、位置検索が行われたときには遠くまで行っていたり、連れ去られた後で取り返しのつかない事態になっていたりすることもあった。また、特許文献１では、迷子情報が登録された端末の位置を表示するためには、端末の設置された施設内において迷子と迷子を探す人の両方が端末に出向いて登録を行わなければならないので、迷子と迷子を探す人の双方に負担がある。
【０００８】
特に、集団で行動する人にとっては、迷子になってから居場所を探してもらうより、迷子になる前に集団から離れないように監視してもらうことの方がより好ましいが、特許文献２では、監視する範囲が基地局の通信エリア内であり、基地局の通信エリアは広いため迷子になることがあっても、基地局の通信エリアから外に出なければ他の携帯通信装置に報知されることはない。
【０００９】
エリアを固定することなく特定の相手から離れたことを認識するためには、特許文献３に示すようにＧＰＳ信号によって得た位置情報を使って互いの距離を計算によって求めればよいが、定期的に互いの距離を計算しなければならないため、多くの人を対象とした場合、計算処理のためのシステムを構築して運用するために費用と労力がかかり、サービスコストが高くなるという問題がある。
【００１０】
本発明は、かかる点に鑑みてなされたものであり、簡単な方法で集団を形成して集団から離れたときコストを掛けずにそれを知らせる携帯通信装置及び集団監視システムを提供することを目的とする。
【課題を解決するための手段】
【００１１】
本発明の携帯通信装置は、近距離にある携帯通信装置と直接無線による通信を行う近距離通信手段と、複数の携帯通信装置によって形成される集団を識別するグループ情報を記憶する記憶手段と、前記グループ情報によって同じ集団を形成する他の携帯通信装置と前記近距離通信手段による通信が行えることを監視する監視手段と、前記監視手段において前記同じ集団を形成する他の携帯通信装置と前記近距離通信手段による通信が行えない場合、前記集団から離脱したことを知らせる報知手段と、を備えることを特徴とする。
【発明の効果】
【００１２】
本発明によれば、簡単な方法で集団を形成して集団から離れたときコストを掛けずにそれを知らせることができるという効果がある。
【発明を実施するための最良の形態】
【００１３】
以下、本発明の監視システムによる実施の形態１、実施の形態２、実施の形態３、及び実施の形態４について図面を参照して詳細に説明する。
【００１４】
（実施の形態１）
実施の形態１は、共通のグループコードを自局のグループコードとして登録した携帯通信装置が形成する集団において、共通のグループコードを含む呼び出し信号を送受信する近距離通信を行い、共通のグループコードを含む呼び出し信号を受信できなくなったとき、その携帯通信装置が集団から離れたとして警告を発するものである。
【００１５】
図１は、本発明の実施の形態１に係る集団監視システムの構成を示すブロック図である。図１において、集団監視システム１０１は、共通のグループコード１０２を自局のグループコードとして登録して集団を形成する２台の携帯通信装置１０３ａ、１０３ｂを備え、携帯通信装置１０３ａ、１０３ｂは、それぞれ定期的に共通のグループコード１０２を含む呼び出し信号１０４を携帯通信装置１０３ａ、１０３ｂを中心として微弱電波が到達可能な近距離通信エリア１０５ａ、１０５ｂ内に発信する。
【００１６】
図２は、本発明の実施の形態１に係る呼び出し信号の構成を示す図である。呼び出し信号１０４は、照会信号の信号コード１０６と、グループコード１０２とで構成される。携帯通信装置１０３は、自局のグループコードと同じグループコード１０２を含む呼び出し信号１０４を受信することはできるが、自局のグループコード以外のグループコードを含む呼び出し信号は、無効な信号として扱う。
【００１７】
また、携帯通信装置１０３ａは、携帯通信装置１０３ｂの近距離通信エリア１０５ｂ内にあるとき、携帯通信装置１０３ｂが発信する共通のグループコード１０２を含む呼び出し信号１０４を受信できるが、近距離通信エリア１０５ｂの外に移動した場合、携帯通信装置１０３ｂの発信する共通のグループコード１０２を含む呼び出し信号１０４を受信できなくなるので、携帯通信装置１０３ａが集団にあるとされる範囲は、携帯通信装置１０３ｂの近距離通信エリア１０５ｂ内に限られる。
【００１８】
携帯通信装置１０３ｂについても同様であり、携帯通信装置１０３は、他の携帯通信装置１０３が発信する共通のグループコード１０２を含む呼び出し信号１０４の受信状況を監視して共通のグループコード１０２を含む呼び出し信号１０４が受信できないとき、共通のグループコード１０２を登録した集団から離れたとして警告を発する。
【００１９】
近距離通信は、基地局との通信に用いられるより弱い電力によって行われ、具体的には、Ｂｌｕｅｔｏｏｔｈ（ＳＩＧの登録商標）、超音波センサ、又は赤外線通信（Ｉｒｄａ）などが用いられる。
【００２０】
特に、Ｂｌｕｅｔｏｏｔｈは、資格を必要としない無線通信規格であり、中心周波数を２．４５ＧＨｚとする帯域の電波で、送信電力を制御することによって伝送距離を約１００ｍ（クラス１）、約２５ｍ（クラス２）、又は約１０ｍ（クラス３）のいずれかに調整することができるため、約１００ｍ、約２５ｍ、又は約１０ｍの範囲内にある携帯通信装置１０３と無線通信を行うことができる。また、Ｂｌｕｅｔｏｏｔｈは、赤外線通信とは異なり、障害物などに妨害されることなく通信を行うことができる。
【００２１】
図３は、本発明の実施の形態１に係る集団監視システムの別の構成を示すブロック図である。図３の集団監視システム１０１は、４台の携帯通信装置１０３ａ、１０３ｂ、１０３ｃ、１０３ｄが共通のグループコード１０２を登録して集団を形成した例である。
【００２２】
携帯通信装置１０３ａが、他の携帯通信装置１０３ｂ、１０３ｃ、１０３ｄによって形成される近距離通信エリア１０５ｂ、１０５ｃ、１０５ｄのいずれかにあれば、携帯通信装置１０３ａは、他の携帯通信装置１０３ｂ、１０３ｃ、１０３ｄのいずれかが発信する共通のグループコード１０２を含む呼び出し信号１０４を受信することができる。
【００２３】
集団が大きくなると、携帯通信装置１０３ａは、携帯通信装置１０３ｂ、１０３ｃ、１０３ｄの各近距離通信エリア１０５ｂ、１０５ｃ、１０５ｄを合わせた広い領域のいずれかにいれば集団にあるとされ、集団にあるとされる範囲が広がる。
【００２４】
例えば、児童の下校時などに、同じ方向に帰宅する携帯通信装置１０３ａ、１０３ｂ、１０３ｃ、１０３ｄで共通のグループコード１０２を登録して集団を形成し、携帯通信装置１０３ａから他の携帯通信装置１０３ｂ、１０３ｃ、１０３ｄが１台ずつ離れていくようなときでも、誰かの携帯通信装置１０３の近距離通信エリア１０５内にいれば、携帯通信装置１０３ａは共通のグループコード１０２を含む呼び出し信号１０４を受信できるので、集団にあるとする。
【００２５】
携帯通信装置１０３ａから他の全ての携帯通信装置１０３ｂ、１０３ｃ、１０３ｄが離れていって携帯通信装置１０３ａが近距離通信エリア１０５ｂ、１０５ｃ、１０５ｄの外に移動すると、携帯通信装置１０３ａは、いずれの携帯通信装置１０３ｂ、１０３ｃ、１０３ｄが発信する共通のグループコード１０２を含む呼び出し信号１０４も受信できなくなる。
【００２６】
携帯通信装置１０３ｂ、１０３ｃ、１０３ｄについても同様であり、携帯通信装置１０３は、他の携帯通信装置１０３が発信する共通のグループコード１０２を含む呼び出し信号１０４の受信状況を監視して共通のグループコード１０２を含む呼び出し信号１０４が受信できなくなったとき、共通のグループコード１０２を登録した集団から離れたとして警告を発する。
【００２７】
図４は、本発明の実施の形態１に係る携帯通信装置の構成を示すブロック図である。図４に示すように、携帯通信装置１０３は、近距離通信部１１２と、集団監視部１１３と、キー入力部１１４と、表示部１１５と、駆動部１１６と、スピーカ１１７と、発信タイマ１１８と、受信タイマ１１９と、記憶部１２０とを制御部１２１に接続して備える。
【００２８】
近距離通信部１１２は、近距離にある他の携帯通信装置１０３とアンテナ１１１を介して直接無線による通信を行い、登録された共通のグループコード１０２を含む呼び出し信号１０４を微弱電波によって近距離通信エリア１０５内に発信し、共通のグループコード１０２を登録した他の携帯通信装置１０３からグループコード１０２を含む呼び出し信号１０４を受信する。
【００２９】
集団監視部１１３は、登録処理部１２２と、発信処理部１２３と、受信処理部１２４とを備え、共通のグループコード１０２を登録して集団を形成し、共通のグループコード１０２を含む呼び出し信号１０４を発信し、他の携帯通信装置１０３が発信する共通のグループコード１０２を含む呼び出し信号１０４を受信して受信状態を監視する集団監視処理を実行する。
【００３０】
記憶部１２０は、自局の電話番号１２５、グループコード１０２、呼び出し信号の発信周期ｔ１、及び集団から離れたとする離脱警告時間ｔ２などを記憶する。例えば、離脱警告時間ｔ２は、呼び出し信号の発信周期ｔ１を数倍した時間などにする。
【００３１】
登録処理部１２２は、後述の集団監視サービス画面などから入力された共通のグループコード１０２を自局のグループコード１０２として記憶部１２０に記憶して集団を形成し、発信処理部１２３と受信処理部１２４を起動する。
【００３２】
発信処理部１２３は、記憶部１２０に記憶された共通のグループコード１０２による呼び出し信号１０４を定期的に近距離通信部１１２から発信する。
【００３３】
受信処理部１２４は、他の携帯通信装置１０３が発信する共通のグループコード１０２を含む呼び出し信号１０４を近距離通信部１１２によって受信して離脱警告時間ｔ２以上共通のグループコード１０２を含む呼び出し信号１０４を受信できないとき警告を発する。
【００３４】
図５は、本発明の実施の形態１に係る集団監視サービス画面の例を示す図である。図５に示すように、集団監視サービス画面１３１には、グループコード入力欄１３２と、登録ボタン１３３及び終了ボタン１３４と、警告メッセージを表示する表示欄１３５とが設けられる。
【００３５】
集団監視サービス画面１３１のグループコード入力欄１３２にグループコードを入力して登録ボタン１３３を選択すると、登録処理部１２２が起動されて入力された共通コード１０２による集団が形成され、発信処理部１２３と受信処理部１２４が起動されて、共通のグループコード１０２を含む呼び出し信号１０４を発信し、他の携帯通信装置１０３が発信する共通のグループコード１０２を含む呼び出し信号１０４を受信して受信状態を監視する集団監視処理が実行され、終了ボタン１３４を選択すると、発信処理部１２３及び受信処理部１２４の処理を終了する。
【００３６】
以上のように構成された集団監視システム１０１の携帯通信装置１０３において集団監視を行う動作について説明する。図６は、本発明の実施の形態１に係る集団監視部の動作を説明するフロー図である。図６に示すように、携帯通信装置１０３のキー入力部１１４によってユーザが表示部１１５に集団監視サービス画面１３１を表示すると（ＳＴ１０１）、集団監視部１１３は、制御部１２１から起動されて登録処理部１２２を起動する。
【００３７】
ユーザがグループコード入力欄１３２に共通のグループコードを入力して（ＳＴ１０２）、登録ボタン１３３を選択すると（ＳＴ１０３；ＹＥＳ）、入力された共通のグループコードを自局のグループコード１０２として記憶部１２０に記憶し（ＳＴ１０４）、発信処理部１２３と受信処理部１２４を起動する。
【００３８】
発信処理部１２３は、呼び出し信号の発信周期ｔ１で発信タイマ１１８をセットし（ＳＴ１０５）、受信処理部１２４は、離脱警告時間ｔ２で受信タイマ１１９をセットする（ＳＴ１０６）。
【００３９】
発信処理部１２３は、発信タイマ１１８がタイムアウトすれば（ＳＴ１０７；ＹＥＳ）、近距離通信部１１２から共通のグループコード１０２を含む呼び出し信号１０４を発信し（ＳＴ１０８）、呼び出し信号の発信周期ｔ１で発信タイマ１１８を再セットする（ＳＴ１０９）。
【００４０】
受信処理部１２４は、終了ボタン１３４が選択されることなく（ＳＴ１１０；ＮＯ）、受信タイマ１１９がタイムアウトする前に、近距離通信部１１２によって共通のグループコード１０２を含む呼び出し信号１０４を受信すれば（ＳＴ１１１；ＹＥＳ）、今回は、他の携帯通信装置１０３が発信した共通のグループコード１０２を含む呼び出し信号１０４を受信できたので、共通のグループコード１０２を登録した集団の中にいるとし、ＳＴ１０６に戻って、離脱警告時間ｔ２で受信タイマ１１９を再セットし、ＳＴ１０７からＳＴ１１１の処理を繰り返して行い、次の共通のグループコード１０２を含む呼び出し信号１０４の受信を待つ。
【００４１】
発信処理部１２３は、ＳＴ１０７からＳＴ１１１の処理を繰り返す間に発信タイマ１１８がタイムアウトすれば（ＳＴ１０７；ＹＥＳ）、記憶部１２０に記憶された共通のグループコード１０２により呼び出し信号１０４を発信して（ＳＴ１０８）、呼び出し信号の発信周期ｔ１で発信タイマ１１８を再セットし（ＳＴ１０９）、終了ボタン１３４が選択されるまで（ＳＴ１１０；ＮＯ）、呼び出し信号の発信周期ｔ１で共通のグループコード１０２を含む呼び出し信号１０４を発信する処理を繰り返す。
【００４２】
登録処理部１２２は、ユーザが集団監視サービス画面１３１の終了ボタン１３４を選択すれば（ＳＴ１１０；ＹＥＳ）、発信処理部１２３及び受信処理部１２４を終了する。
【００４３】
受信処理部１２４は、ＳＴ１０６において、離脱警告時間ｔ２で受信タイマ１１９をセットし、集団監視サービス画面１３１の終了ボタン１３４が選択されることなく（ＳＴ１０７、ＳＴ１１０；ＮＯ）、共通のグループコード１０２を含む呼び出し信号１０４を受信することもなければ（ＳＴ１１１；ＮＯ）、ＳＴ１０７に戻って、受信タイマ１１９がタイムアウトするまで（ＳＴ１１２；ＹＥＳ）、キー入力部１１４による集団監視の終了の入力、又は共通のグループコード１０２を含む呼び出し信号１０４の受信を待つ。
【００４４】
終了ボタン１３４が選択されることなく（ＳＴ１１０；ＮＯ）、共通のグループコード１０２を含む呼び出し信号１０４を受信する前に（ＳＴ１１１；ＮＯ）、受信タイマ１１９がタイムアウトすると（ＳＴ１１２；ＹＥＳ）、今回は、離脱警告時間ｔ２を過ぎても他の携帯通信装置１０３が発信した共通のグループコード１０２を含む呼び出し信号１０４を受信できなかったので、集団監視サービス画面１３１の表示欄１３５に集団から離れたことを知らせる警告メッセージを表示し（ＳＴ１１３）、駆動部１１６を振動させ、スピーカ１１７からアラーム音を出力して（ＳＴ１１４）、ＳＴ１０６に戻って、離脱警告時間ｔ２で受信タイマ１１９を再セットし、次の共通のグループコード１０２を含む呼び出し信号１０４の受信を待つ処理を繰り返す。
【００４５】
図６に示す集団監視部の動作を説明するフロー図の中で、ＳＴ１０１からＳＴ１０４までとＳＴ１１０は登録処理部１２２の処理ステップ、ＳＴ１０５とＳＴ１０７からＳＴ１１０までは発信処理部１２３の処理ステップ、ＳＴ１０６とＳＴ１１０からＳＴ１１４までは受信処理部１２４の処理ステップである。
【００４６】
以上、詳細に説明したように、本発明の実施の形態１によれば、携帯通信装置１０３に、近距離にある他の携帯通信装置１０３と直接無線による通信を行う近距離通信部１１２と、入力された共通のグループコード１０２を自局のグループコード１０２として記憶した記憶部１２０と、共通のグループコード１０２を含む呼び出し信号１０４を受信して離脱警告時間ｔ２以上共通のグループコード１０２を含む呼び出し信号１０４を受信できないとき警告を発する受信処理部１２４とを備えたので、携帯通信装置１０３は、簡単な方法で集団を形成して集団から離れたときコストを掛けずにそれを知らせることができた。
【００４７】
実施の形態１によれば、携帯通信装置１０３に、記憶部１２０に記憶された共通のグループコード１０２により呼び出し信号１０４を発信する発信処理部１２３を備えたので、共通のグループコード１０２を自局のグループコード１０２として記憶部１２０に記憶した他の携帯通信装置１０３が、共通のグループコード１０２を含む呼び出し信号１０４を受信して離脱警告時間ｔ２以上共通のグループコード１０２を含む呼び出し信号１０４を受信できないとき警告を発する受信処理部１２４とを備えれば、共通グループコード１０２を記憶した他の携帯通信装置１０３も、簡単な方法で集団を形成して集団から離れたときコストを掛けずにそれを知らせることができる。
【００４８】
実施の形態１によれば、携帯通信装置１０３に、共通のグループコードを登録する登録処理部１２２を備えたので、携帯通信装置１０３のユーザは、簡単に共通のグループコード１０２を送受信する集団を形成することができる。
【００４９】
実施の形態１によれば、携帯通信装置１０３のいずれかが発信する共通のグループコード１０２を含む呼び出し信号１０４を受信できれば集団であるとするので、共通のグループコード１０２を登録する携帯通信装置１０３を減らせば、小さい集団を形成して狭い範囲における集団監視が実行できるし、共通のグループコード１０２を登録する携帯通信装置１０３を増やせば、大きい集団を形成して広い範囲における集団監視が実行できる。
【００５０】
実施の形態１によれば、共通のグループコード１０２を登録することで集団を形成するので、ユーザの都合によって自由に集団を形成できる。例えば、集団を解消したければ、共通のグループコード１０２を登録しなければよいし、他の集団のグループコードを教えてもらい登録を行えば、他の集団に属することもできるし、新たに別のグループコードを登録すれば新たな集団を形成することもできる。
【００５１】
実施の形態１によれば、共通のグループコード１０２を登録して形成した集団のメンバー数に上限を設ける必要はない。
【００５２】
尚、実施の形態１では、集団監視サービス画面１３１で登録ボタン１３３が選択されると、登録処理部１２２から発信処理部１２３と受信処理部１２４が起動されて登録処理と集団監視処理が連続して実行されるが、集団監視サービス画面１３１に新たに監視ボタンなどを設け、集団監視サービス画面１３１で登録ボタン１３３が選択されたときは登録処理のみを行い、集団監視サービス画面１３１で監視ボタンが選択されたときに集団監視処理を行うというように、登録処理と集団監視処理を分けて行うようにしてもよい。
【００５３】
尚、実施の形態１では、集団監視サービス画面１３１で登録ボタン１３３が選択されると、登録処理部１２２は登録処理を行った後、発信処理部１２３と受信処理部１２４の両方を起動するが、集団監視サービス画面１３１に発信ボタンと監視ボタンなどを設けて、発信ボタンが選択されたときは発信処理部１２３だけを起動して共通のグループコード１０２を含む呼び出し信号１０４の発信のみを行い、監視ボタンが選択されたときは受信処理部１２４だけを起動して共通のグループコード１０２を含む呼び出し信号１０４の受信のみを行うようにしてもよい。
【００５４】
集団監視サービス画面１３１に発信ボタンを分けて設け、共通のグループコード１０２を含む呼び出し信号１０４の発信を分けて行えば、グループコード１０２を含む呼び出し信号１０４を発信する携帯通信装置１０３を限定することができるため、集団にあるとされる範囲が制限され、誰から離れたのかが分かり易くなる。
【００５５】
尚、実施の形態１によれば、集団監視部１１３に登録処理部１２２を設けて集団監視サービス画面１３１のグループコード入力欄１３２に入力させたグループコードを自局のグループコード１０２として記憶部１２０に記憶し、記憶部１２０に記憶したグループコード１０２により呼び出し信号１０４の送受信処理を行っているが、集団監視部１１３に登録処理部１２２を設けずに、集団を形成する契約がある携帯通信装置１０３に予め共通のグループコードを配信して記憶部１２０の自局のグループコードに記憶させて集団監視処理を行ってもよい。
【００５６】
尚、実施の形態１によれば、集団監視サービス画面１３１のグループコード入力欄１３２に入力させたグループコードをそのまま記憶部１２０に記憶して送受信処理を行っているが、集団を形成する契約がある携帯通信装置１０３に予めグループコードを配信して記憶部１２０に記憶させ、入力されたグループコードと配信されたグループコードが一致した場合に送受信処理を開始するなどのユーザ認証を行ってから送受信処理を行うようにしてもよい。
【００５７】
尚、実施の形態１では、携帯通信装置１０３の記憶部１２０に記憶するグループコードを１つとしたが、記憶部１２０に複数のグループコードを記憶するようにし、複数のグループコードによる呼び出し信号を順番に発信しながら、複数のグループコードの中で受信したグループコードを順番にチェックするようにし、同時に複数の集団に所属して複数の集団からの離脱を同時に監視するようにしてもよい。
【００５８】
（実施の形態２）
実施の形態２は、メンバーリストに登録された携帯通信装置が形成する集団において、メンバーリストに基づいて定期的に照会信号を送信して応答信号を受信する近距離通信を行い、照会信号に対して応答信号が受信できなくなったとき、その携帯通信装置が集団から離れたとして警告を発するものである。
【００５９】
図７は、本発明の実施の形態２に係る集団監視システムの構成を示すブロック図である。図７において、集団監視システム２０１は、携帯通信装置２０２と、携帯通信装置２０２のメンバーリスト２０４に登録された携帯通信装置２０３ａ、２０３ｂ、２０３ｃ、…とを備える。
【００６０】
携帯通信装置２０２は、メンバーリスト２０４に登録された携帯通信装置２０３ａ、２０３ｂ、２０３ｃ、…の電話番号２０５ａ、２０５ｂ、２０５ｃ、…により携帯通信装置２０３ａ、２０３ｂ、２０３ｃ、…の電話番号２０５ａ、２０５ｂ、２０５ｃ、…を含む照会信号２０６ａ、２０６ｂ、２０６ｃ、…を微弱電波によって到達可能な近距離通信エリア２０７内に定期的に送信する。
【００６１】
図８は、本発明の実施の形態２に係る照会信号の構成を示す図である。図８に示すように、照会信号２０６は、照会信号の信号コード１０６と、相手局の識別情報２０９と、自局の識別情報２１０とから構成され、照会信号２０６ａ、２０６ｂ、２０６ｃ、…は、相手局の識別情報２０９にメンバーリスト２０４に登録された携帯通信装置２０３ａ、２０３ｂ、２０３ｃ、…の電話番号２０５ａ、２０５ｂ、２０５ｃ、…を設定し、自局の識別情報２１０に携帯通信装置２０２の自局の電話番号を設定したものである。
【００６２】
例えば、携帯通信装置２０３ａ、２０３ｂ、２０３ｃ、…が、携帯通信装置２０２を中心とする近距離通信エリア２０７内にあるとき、携帯通信装置２０３ａ、２０３ｂ、２０３ｃ、…は、自局の電話番号２０５ａ、２０５ｂ、２０５ｃ、…を含む照会信号２０６ａ、２０６ｂ、２０６ｃ、…を受信して携帯通信装置２０２に応答信号２０８ａ、２０８ｂ、２０８ｃ、…を返信するが、近距離通信エリア２０７の外に移動した場合、携帯通信装置２０３ａ、２０３ｂ、２０３ｃ、…は、携帯通信装置２０２の発信する自局の電話番号２０５ａ、２０５ｂ、２０５ｃ、…を含む照会信号２０６ａ、２０６ｂ、２０６ｃ、…を受信できないため、携帯通信装置２０２は照会信号２０６ａ、２０６ｂ、２０６ｃ、…を送信しても、携帯通信装置２０３ａ、２０３ｂ、２０３ｃ、…から応答信号２０８ａ、２０８ｂ、２０８ｃ、…を受信することはない。
【００６３】
図９は、本発明の実施の形態２に係る応答信号の構成を示す図である。図９に示すように、応答信号２０８は、応答信号の信号コード２１１と、相手局の識別情報２１２と、自局の識別情報２１３とで構成され、応答信号２０８ａ、２０８ｂ、２０８ｃ、…は、相手局の識別情報２１２に照会信号２０６の送信先の即ちメンバーリスト２０４に登録された携帯通信装置２０３ａ、２０３ｂ、２０３ｃ、…の電話番号２０５ａ、２０５ｂ、２０５ｃ、…を設定し、自局の識別情報２１３に照会信号２０６の送信元即ち携帯通信装置２０２の自局の電話番号１２５を設定したものである。
【００６４】
携帯通信装置２０２は、メンバーリスト２０４に登録された携帯通信装置２０３ａ、２０３ｂ、２０３ｃ、…の電話番号２０５ａ、２０５ｂ、２０５ｃ、…から携帯通信装置２０３ａ、２０３ｂ、２０３ｃ、…の電話番号２０５ａ、２０５ｂ、２０５ｃ、…を含む照会信号２０６ａ、２０６ｂ、２０６ｃ、…を送信して応答信号２０８ａ、２０８ｂ、２０８ｃ、…の受信状況を監視し、電話番号２０５ａ、２０５ｂ、２０５ｃ、…を含む照会信号２０６ａ、２０６ｂ、２０６ｃ、…を送信しても携帯通信装置２０３ａ、２０３ｂ、２０３ｃ、…の応答信号２０８ａ、２０８ｂ、２０８ｃ、…が受信できないとき、メンバーリスト２０４に登録された集団から離れたとして警告を発する。
【００６５】
図１０は、本発明の実施の形態２に係る携帯通信装置の構成を示すブロック図である。図１０において、図４に示す本発明の実施の形態１に係る携帯通信装置の構成を示すブロック図と同じ構成部分については同一の符号を付す。
【００６６】
図１０に示すように、携帯通信装置２０２は、近距離通信部１１２と、集団監視部２１４と、キー入力部１１４と、表示部１１５と、駆動部１１６と、スピーカ１１７と、タイマ２１５と、記憶部２２０とを制御部２２１に接続して備え、集団監視部２１４は、登録処理部２１６と、監視処理部２１７と、照会信号生成部２１８とを備える。
【００６７】
近距離通信部１１２は、近距離にある携帯通信装置２０３とアンテナ１１１を介して直接無線による通信を行い、メンバーリスト２０４に登録された携帯通信装置２０３の電話番号２０５を含む照会信号２０６を送信し、携帯通信装置２０３から応答信号２０８を受信する。
【００６８】
記憶部２２０には、自局の電話番号１２５、メンバーリスト２０４に登録された個別の携帯通信装置２０３に照会信号２０６を送信する個別送信周期ｔ３、携帯通信装置２０２が照会信号を送信する照会信号の送信周期ｔ４、メンバーリスト２０４、及びカウンタｋ、応答信号２０８を受信したメンバーリスト２０４の登録位置を記憶する応答受信位置ｌなどが記憶される。
【００６９】
照会信号の送信周期ｔ４は、集団監視を行う際に個別送信周期ｔ３が一定になるようにメンバーリスト２０４に登録された携帯通信装置２０３の数に合わせて計算される。
【００７０】
メンバーリスト２０４には、メンバーとして登録された携帯通信装置２０３ａ、２０３ｂ、２０３ｃ、…の電話番号２０５ａ、２０５ｂ、２０５ｃ、…が記憶される。
【００７１】
集団監視部２１４は、ユーザの入力に従って登録処理部２１６及び監視処理部２１７を起動して集団を形成して集団監視処理を実行する。
【００７２】
登録処理部２１６は、後述の集団監視サービス画面などによって入力された携帯通信装置２０３の電話番号２０５を記憶部２２０のメンバーリスト２０４に登録するか、又はメンバーリスト２０４から登録された携帯通信装置２０３の電話番号２０５を削除する処理を行う。
【００７３】
監視処理部２１７は、メンバーリスト２０４に登録された携帯通信装置２０３ａ、２０３ｂ、２０３ｃ、…の電話番号２０５ａ、２０５ｂ、２０５ｃ、…により照会信号２０６ａ、２０６ｂ、２０６ｃ、…を生成して送信し、携帯通信装置２０３ａ、２０３ｂ、２０３ｃ、…から返信される応答信号２０８ａ、２０８ｂ、２０８ｃ、…の受信状況を監視して、メンバーリスト２０４に登録された全ての携帯通信装置２０３ａ、２０３ｂ、２０３ｃ、…に照会信号２０６ａ、２０６ｂ、２０６ｃ、…を送信したにもかかわらず、メンバーリスト２０４に登録されたどの携帯通信装置２０３からも応答信号２０８ａ、２０８ｂ、２０８ｃ、…が受信できないとき警告を発する。
【００７４】
照会信号生成部２１８は、携帯通信装置２０２の電話番号１２５とメンバーリスト２０４に登録された携帯通信装置２０３ａ、２０３ｂ、２０３ｃ、…の電話番号２０５ａ、２０５ｂ、２０５ｃ、…により照会信号２０６ａ、２０６ｂ、２０６ｃ、…を生成する。
【００７５】
図１１は、本発明の実施の形態２に係る集団監視サービス画面の例を示す図である。図１１に示すように、集団監視サービス画面２４１には、電話番号入力欄２４２と、登録ボタン２４３、解除ボタン２４４、監視ボタン２４５、及び終了ボタン２４６と、登録済みメンバーの電話番号を表示する表示欄２４７とが設けられる。
【００７６】
集団監視サービス画面２４１の電話番号入力欄２４２にメンバーとする携帯通信装置の電話番号を入力して登録ボタン２４３を選択すると、登録処理部２１６がメンバーリスト２０４に電話番号２０５を登録する登録処理を行い、集団監視サービス画面２４１の表示欄２４７から登録済みのメンバーの電話番号を選んで電話番号入力欄２４２に入力し、解除ボタン２４４を選択すると、メンバーリスト２０４から電話番号２０５を削除する解除処理を行い、終了ボタン２４６を選択すると、登録処理部２１６は終了する。
【００７７】
監視ボタン２４５を選択すると、監視処理部２１７がメンバーリスト２０４に登録された電話番号２０５に照会信号２０６を送信して携帯通信装置２０３から返信される応答信号２０８を監視する集団監視処理を行い、終了ボタン２４６を選択すると監視処理部２１７は終了する。
【００７８】
以上のように構成された集団監視システム２０１の携帯通信装置２０２において集団監視を行う動作について説明する。図１２及び図１３は、本発明の実施の形態２に係る集団監視部の動作を説明するフロー図である。図１２に示すように、携帯通信装置２０２のキー入力部１１４によってユーザが表示部１１５に集団監視サービス画面２４１を表示すると（ＳＴ２０１）、集団監視部２１４は、制御部２２１から起動されて登録処理部２１６を起動する。
【００７９】
ユーザが電話番号入力欄２４２にメンバーとする携帯通信装置の電話番号を入力し（ＳＴ２０２；ＮＯ、ＳＴ２０３；ＮＯ、ＳＴ２０４）、登録ボタン２４３を選択すると（ＳＴ２０５；ＹＥＳ）、登録処理部２１６は、入力された電話番号を記憶部２２０のメンバーリスト２０４に記憶し（ＳＴ２０６）、ＳＴ２０１に戻って、登録した携帯通信装置の電話番号を表示欄２４７に加えた集団監視サービス画面２４１を表示する（ＳＴ２０１）。
【００８０】
ＳＴ２０４において、集団監視サービス画面２４１の登録済みメンバーの表示欄２４７から登録済みの電話番号を選んで電話番号入力欄２４２に入力し、解除ボタン２４４を選択すると（ＳＴ２０５；ＮＯ、ＳＴ２０７；ＹＥＳ）、記憶部２２０のメンバーリスト２０４から入力された携帯通信装置２０３の電話番号２０５を削除し（ＳＴ２０８）、ＳＴ２０１に戻って、解除した携帯通信装置２０３の電話番号２０５を表示欄２４７から除いた集団監視サービス画面２４１を表示する（ＳＴ２０１）。
【００８１】
ＳＴ２０１において、ユーザが監視ボタン２４５を選択したとき（ＳＴ２０２；ＮＯ、ＳＴ２０３；ＹＥＳ）、メンバーリスト２０４にメンバーが登録されていれば（ＳＴ２０９；ＹＥＳ）、集団監視部２１４は、登録処理部２１６を終了して監視処理部２１７を起動する。
【００８２】
ＳＴ２０９において、メンバーリスト２０４にメンバーが登録されていなければ（ＳＴ２０９；ＮＯ）、表示欄２４７にメンバーが登録されていない旨のメッセージを表示して（ＳＴ２１０）、ＳＴ２０１に戻る。ＳＴ２０１において、終了ボタン２４６が選択されると（ＳＴ２０２；ＹＥＳ）、登録処理部２１６を終了する。
【００８３】
監視処理部２１７の動作について説明する。図１３に示すように、監視処理部２１７は、照会信号の送信周期ｔ４を（個別送信周期ｔ３）／（メンバーリスト２０４に登録されたメンバー数）により算定する（ＳＴ２１１）。
【００８４】
カウンタｋに「１」、応答受信位置ｌに「０」を設定し（ＳＴ２１２）、照会信号生成部２１８によって、メンバーリスト２０４のｋ番目に登録された携帯通信装置２０３の電話番号２０５により照会信号２０６を生成して（ＳＴ２１３）、送信し（ＳＴ２１４）、照会信号の送信周期ｔ４でタイマ２１５をセットする（ＳＴ２１５）。
【００８５】
ＳＴ２１５でタイマ２１５をセットした後、終了ボタン２４６が選択されることなく（ＳＴ２１６；ＮＯ）、タイマ２１５がタイムアウトする前に、メンバーリスト２０４のｋ番目に登録された携帯通信装置２０３から応答信号２０８を受信すれば（ＳＴ２１７；ＹＥＳ）、メンバーリスト２０４のｋ番目に登録された携帯通信装置２０３と近距離通信を行うことができたので、応答受信位置ｌにカウンタｋをセーブして記憶する（ＳＴ２１８）。
【００８６】
タイマ２１５がタイムアウトしていなければ（ＳＴ２１９；ＮＯ）、ＳＴ２１６に戻って、ＳＴ２１６からＳＴ２１９を繰り返し、タイマ２１５のタイムアウトを待つ（ＳＴ２１６；ＮＯ、ＳＴ２１７；ＹＥＳ、ＳＴ２１８、ＳＴ２１９；ＮＯ）。
【００８７】
ＳＴ２１９おいて、タイマ２１５がタイムアウトしたとき（ＳＴ２１９；ＹＥＳ）、カウンタｋがメンバーリスト２０４の終わりを示していなければ（ＳＴ２２０；ＮＯ）、カウンタｋに「１」を加算し（ＳＴ２２１）、カウンタｋと応答受信位置ｌを比較する。
【００８８】
カウンタｋと応答受信位置ｌを比較して、メンバーリスト２０４に登録された携帯通信装置２０３にその電話番号２０５を含む照会信号２０６を送信する処理が応答信号２０６を受信することなく１周していなければ（ＳＴ２２３；ＮＯ）、ＳＴ２１３に戻って、メンバーリスト２０４の次に登録された携帯通信装置２０３の電話番号２０５から照会信号２０６を生成して送信する処理を繰り返す。
【００８９】
ＳＴ２１５において、照会信号の送信周期ｔ４でタイマ２１５をセットした後、タイマ２１５がタイムアウトする前に、ユーザが終了ボタン２４６を選択すれば（ＳＴ２１６；ＹＥＳ）、監視処理部２１９を終了する。
【００９０】
ＳＴ２１５において、照会信号の送信周期ｔ４でタイマ２１５をセットした後、終了ボタン２４６が選択されることなく（ＳＴ２１６；ＮＯ）、メンバーリスト２０４のｋ番目に登録された携帯通信装置２０３から応答信号２０８を受信することもなければ（ＳＴ２１７；ＮＯ）、タイマ２１５がタイムアウトするまで（ＳＴ２１９；ＮＯ）、ＳＴ２１６に戻って、携帯通信装置２０３からの応答信号２０８の受信を待つ（ＳＴ２１６；ＮＯ、ＳＴ２１７；ＮＯ、ＳＴ２１９；ＮＯ）。
【００９１】
ＳＴ２１９おいて、タイマ２１５がタイムアウトしたとき（ＳＴ２１９；ＹＥＳ）、カウンタｋがメンバーリスト２０４の終わりを示していれば（ＳＴ２２０；ＹＥＳ）、カウンタｋに「１」を設定し（ＳＴ２２１）、カウンタｋと応答受信位置ｌを比較する。
【００９２】
カウンタｋと応答受信位置ｌを比較して、メンバーリスト２０４に登録された携帯通信装置２０３にその電話番号２０５を含む照会信号２０６を送信する処理が応答信号２０６を受信することなく１周していなければ（ＳＴ２２３；ＮＯ）、ＳＴ２１３に戻って、メンバーリスト２０４の先頭に登録された携帯通信装置２０３の電話番号２０５から照会信号２０６を生成して送信する処理を繰り返す。
【００９３】
ＳＴ２２３において、カウンタｋと応答受信位置ｌを比較して、メンバーリスト２０４に登録された携帯通信装置２０３にその電話番号２０５を含む照会信号２０６を送信する処理が応答信号２０６を受信することなく１周していれば（ＳＴ２２３；ＹＥＳ）、携帯通信装置２０２が集団から離れたことを知らせる警告メッセージを表示欄２４７に表示し（ＳＴ２２４）、駆動部１１６を振動させてスピーカ１１７からアラーム音を出力し（ＳＴ２２５）、応答受信位置ｌに「０」を設定し（ＳＴ２２６）、ＳＴ２１３に戻って、新たにメンバーリスト２０４に登録された携帯通信装置２０３の電話番号２０５から照会信号２０６を生成して送信する処理を繰り返す。
【００９４】
図１４は、本発明の実施の形態２に係る集団監視システムの別の構成を示すブロック図である。図１４の集団監視システム２０１では、携帯通信装置２０２のメンバーリスト２０４に登録された携帯通信装置２０３ａ、２０３ｂ、２０３ｃ、…にも、集団監視部２１４を備え、携帯通信装置２０３ａ、２０３ｂ、２０３ｃ、…が、携帯通信装置２０２を含む他の携帯通信装置２０３ａ、２０３ｂ、２０３ｃ、…をメンバーとして登録したメンバーリスト２０４ａ、２０４ｂ、２０４ｃ、…を備え、携帯通信装置２０２及び携帯通信装置２０３ａ、２０３ｂ、２０３ｃ、…を中心とした近距離通信エリア２０７、２０７ａ、２０７ｂ、２０７ｃ、…内にメンバーリスト２０４、２０４ａ、２０４ｂ、２０４ｃ、…に登録された電話番号２０５、２０５ａ、２０５ｂ、２０５ｃ、…を含む照会信号２０６、２０６ａ、２０６ｂ、２０６ｃ、…を微弱電波によって送信する。
【００９５】
メンバーリスト２０４、２０４ａ、２０４ｂ、２０４ｃ、…は、携帯通信装置２０２、２０３ａ、２０３ｂ、２０３ｃ、…の各ユーザがそれぞれ自由に異なるメンバーを登録したものであり、互いに異なるものである。図１３に示す集団監視システム２０１では、近距離通信エリア２０７、２０７ａ、２０７ｂ、２０７ｃ、…を合わせた広い領域を互いに監視し合う。
【００９６】
以上、詳細に説明したように、本発明の実施の形態２によれば、携帯通信装置２０２に、近距離にある携帯通信装置２０３と直接無線による通信を行う近距離通信部１１２と、携帯通信装置２０３の電話番号を登録したメンバーリスト２０４を記憶する記憶部２２０と、メンバーリスト２０４に登録された全ての携帯通信装置２０３に照会信号２０６を送信したにもかかわらず、メンバーリスト２０４に登録されたどの携帯通信装置２０３からも応答信号２０８ａ、２０８ｂ、２０８ｃ、…が受信できないとき警告を発する監視処理部２１７とを備えたので、携帯通信装置２０２は、簡単な方法で集団を形成して集団から離れたときコストを掛けずにそれを知らせることができた。
【００９７】
実施の形態２によれば、携帯通信装置２０３の電話番号２０５を入力して記憶部２２１のメンバーリスト２０４に登録する登録処理部２１６を備えたので、携帯通信装置２０２のユーザは、メンバーとして登録する携帯通信装置２０３を自由に指定して簡単にメンバーリスト２０４による集団を形成することができる。
【００９８】
実施の形態２によれば、携帯通信装置２０２は集団監視部２１４を備えなくてはならないが、メンバーリスト２０４に登録される携帯通信装置２０３は、自局の電話番号を含む照会信号２０６を受信して応答信号２０８を返信できればよいので、一般に市販されている近距離通信機能付きの携帯通信装置を登録してメンバーとすることができる。
【００９９】
尚、実施の形態２では、図１３に示す集団監視部の動作を説明するフロー図のＳＴ２２３において、メンバーリスト２０４に登録された携帯通信装置２０３にその電話番号２０５を含む照会信号２０６を送信する処理が応答信号２０６を受信することなく１周していれば警告を発するようにしているが、警告を発するタイミングは１周に限定されない。１周以上であれば、何周であってもよい。
【０１００】
尚、実施の形態２では、携帯通信装置２０２の集団監視部２１４に登録処理部２１６を備えているが、登録処理部２１６を備えずに、予め記憶部２２０にメンバーリスト２０４を記憶させて固定したメンバーで集団監視を行うようにしてもよい。
【０１０１】
尚、実施の形態２では、照会信号２０６の相手局の識別情報２０９及び自局の識別情報２１０と応答信号２０８の相手局の識別情報２１２及び自局の識別情報２１３に携帯通信装置２０２及び携帯通信装置２０３の電話番号２０５を設定しているが、設定するものは電話番号２０５に限定されない。携帯通信装置を識別できるものであれば端末ＩＤなどを設定してもよい。
【０１０２】
（実施の形態３）
実施の形態３は、実施の形態１の集団監視システム１０１を基地局及び通信ネットワークを介して監視センタに接続し、携帯通信装置が集団から離れたことを予め監視センタに登録された連絡先に報告するものである。
【０１０３】
図１５は、本発明の実施の形態３に係る集団監視システムの構成を示すブロック図である。図１５において、集団監視システム３０１は、共通するグループコードを登録することによって集団を形成した複数の携帯通信装置３０２ａ、３０２ｂ、３０２ｃ、…と、基地局３０３及び通信ネットワーク３０４を介して接続される監視センタ３０５とを備える。
【０１０４】
携帯通信装置３０２は集団から離れたとき、基地局３０３及び通信ネットワーク３０４を介して監視センタ３０５に「孤立」を示すデータを送信する。監視センタ３０５は、「孤立」を示すデータを受信すると、予め登録された連絡先３０６ａ、３０６ｂ、３０６ｃ、…に集団から離れたことを報告する。
【０１０５】
図１６は、本発明の実施の形態３に係る携帯通信装置の構成を示すブロック図である。図１６において、図４に示す本発明の実施の形態１に係る携帯通信装置の構成を示すブロック図と同じ構成部分については同一の符号を付す。
【０１０６】
図１６に示すように、携帯通信装置３０２は、図４に示す実施の形態１の携帯通信装置１０３に加えて、アンテナ１１１を介して基地局３０３と無線通信を行う基地局通信部３１２と、アンテナ１１１を介して衛星からＧＰＳ信号を受信し、現在位置を検索して位置情報を取得する位置情報検索部３１５とを備え、実施の形態１の受信処理部１２４に集団から離れたとき「孤立」を示すデータを監視センタ３０５に送信する処理を加えた受信処理部３２４を集団監視部３１３に備え、通信ネットワーク３０４上の監視センタ３０５のアドレスを記憶部３２０の監視センタアドレス３２３に記憶する。
【０１０７】
図１７は、本発明の実施の形態３に係る監視センタの構成を示すブロック図である。図１７に示すように、監視センタ３０５は、通信処理部３３１と、離脱連絡部３３２と、記憶部３４０とを制御部３４１に接続して備える。
【０１０８】
通信処理部３３１は、通信ネットワーク３０４及び基地局３０３を介して携帯通信装置３０２ａ、３０２ｂ、３０２ｃ、…及び連絡先３０６ａ、３０６ｂ、３０６ｃ、…と通信を行う。
【０１０９】
離脱連絡部３３２は、携帯通信装置３０２ａ、３０２ｂ、３０２ｃ、…から「孤立」を示すデータを受信して連絡先リスト３３４に登録された携帯通信装置３０２ａ、３０２ｂ、３０２ｃ、…の連絡先３０６ａ、３０６ｂ、３０６ｃ、…に集団から離れたことと、携帯通信装置３０２ａ、３０２ｂ、３０２ｃ、…の位置情報を送信する。
【０１１０】
記憶部３４０は、連絡先３０６ａ、３０６ｂ、３０６ｃ、…を登録した連絡先リスト３３４などを記憶する。連絡先リスト３３４は、集団から離れたときユーザが報知を依頼する連絡先３０６ａ、３０６ｂ、３０６ｃ、…を携帯通信装置３０２ａ、３０２ｂ、３０２ｃ、…の電話番号３３３ａ、３３３ｂ、３３３ｃ、…ごとに予め登録したもので、連絡先３０６ａ、３０６ｂ、３０６ｃ、…は、具体的には通信ネットワーク３０４上のアドレス、電話番号、又はメールアドレスなどである。
【０１１１】
以上のように構成された集団監視システム３０１において集団監視を実行する動作について説明する。図１８は、本発明の実施の形態３に係る携帯通信装置の受信監視部の動作を説明するフロー図である。図１８は、図６に示す本発明の実施の形態１に係る集団監視部の動作を説明するフロー図から受信処理部３２４に関する処理を抜き出したフロー図であり、図６に示す本発明の実施の形態１に係る集団監視部の動作を説明するフロー図と同じ処理ステップについては同一の符号を付す。
【０１１２】
図１８に示すように、携帯通信装置３０２の受信処理部３２４は、ＳＴ１１３において集団から離れたことを知らせる警告メッセージを表示し（ＳＴ１１３）、駆動部１１６を振動させ、スピーカ１１７からアラーム音を出力した後（ＳＴ１１４）、位置情報検索部３１５によって携帯通信装置３０２の位置情報を取得し（ＳＴ３０１）、「孤立」を示すデータ、携帯通信装置３０２の位置情報、及び携帯通信装置３０２の電話番号１２５を監視センタアドレス３２３に従って基地局通信部３１２から基地局３０３及び通信ネットワーク３０４を介して監視センタ３０５に送信して（ＳＴ３０２）、ＳＴ１０６に戻る。
【０１１３】
図１９は、本発明の実施の形態３に係る監視センタの離脱連絡部の動作を説明するフロー図である。図１９において、監視センタ３０５の離脱連絡部３３２は、通信処理部３３１を介して携帯通信装置３０２から「孤立」を示すデータを受信すると（ＳＴ４０１；ＹＥＳ）、受信した電話番号によって連絡リスト３３４を検索し（ＳＴ４０２）、連絡先３０６が登録されていれば（ＳＴ４０３；ＹＥＳ）、通信処理部３３１から通信ネットワーク３０４を介して連絡先３０６に携帯通信装置３０２が集団から離れたことと携帯通信装置３０２の位置情報を送信して（ＳＴ４０４）、ＳＴ４０１に戻って、次の「孤立」を示すデータの受信を待つ（ＳＴ４０１；ＮＯ）。
【０１１４】
以上、詳細に説明したように、本発明の実施の形態３によれば、携帯通信装置３０２の集団監視部３１３に、集団から離れたとき「孤立」を示すデータを監視センタ３０５に送信する受信処理部３２４を備え、監視センタ３０５に、携帯通信装置３０２ａ、３０２ｂ、３０２ｃ、…から「孤立」を示すデータを受信して連絡先リスト３３４に登録された携帯通信装置３０２ａ、３０２ｂ、３０２ｃ、…ごとの連絡先３０６ａ、３０６ｂ、３０６ｃ、…に集団から離れたことを送信する離脱連絡部３３２を備えたので、携帯通信装置３０２ａ、３０２ｂ、３０２ｃ、…は、共通のグループコードを登録して集団を形成して集団から離れたときコストを掛けずにそれを携帯通信装置３０２ａ、３０２ｂ、３０２ｃ、…の連絡先３０６ａ、３０６ｂ、３０６ｃ、…に知らせることができた。
【０１１５】
また、携帯通信装置３０２に、アンテナ１１１を介して衛星からＧＰＳ信号を受信し、現在位置を検索して位置情報を取得する位置情報検索部３１５を備えたので、携帯通信装置３０２ａ、３０２ｂ、３０２ｃ、…は、共通のグループコードを登録して集団を形成して集団から離れたとき携帯通信装置３０２ａ、３０２ｂ、３０２ｃ、…の位置情報を携帯通信装置３０２ａ、３０２ｂ、３０２ｃ、…の連絡先３０６ａ、３０６ｂ、３０６ｃ、…に知らせることができる。
【０１１６】
（実施の形態４）
実施の形態４は、実施の形態２の集団監視システム２０１を基地局及び通信ネットワークを介して監視センタに接続し、携帯通信装置が集団から離れたことを予め監視センタに登録された連絡先に報告するものである。
【０１１７】
図２０は、本発明の実施の形態４に係る集団監視システムの構成を示すブロック図である。図２０において、集団監視システム４０１は、メンバーリストに他の携帯通信装置を登録することによって集団を形成した複数の携帯通信装置４０２ａ、４０２ｂ、４０２ｃ、…と、基地局３０３及び通信ネットワーク３０４を介して接続される監視センタ３０５とを備える。
【０１１８】
携帯通信装置４０２は集団から離れたとき、基地局３０３及び通信ネットワーク３０４を介して監視センタ３０５に「孤立」を示すデータを送信する。監視センタ３０５は、「孤立」を示すデータを受信すると、予め登録された連絡先４０６ａ、４０６ｂ、４０６ｃ、…に集団から離れたことを報告する。
【０１１９】
図２１は、本発明の実施の形態４に係る携帯通信装置の構成を示すブロック図である。図２１において、図１０に示す本発明の実施の形態２に係る携帯通信装置の構成を示すブロック図及び図１６に示す本発明の実施の形態３に係る携帯通信装置の構成を示すブロック図と同じ構成部分については同一の符号を付す。
【０１２０】
図２１に示すように、携帯通信装置４０２は、携帯通信装置２０２に加えて、基地局３０３とアンテナ１１１を介して無線通信を行う基地局通信部３１２と、アンテナ１１１を介して衛星からＧＰＳ信号を受信し、現在位置を検索して位置情報を取得する位置情報検索部３１５とを備え、実施の形態２の監視処理部２１７に集団から離れたとき監視センタ３０５に「孤立」を示すデータを送信する処理を加えた監視処理部４１７を集団監視部４１４に備え、通信ネットワーク３０４上の監視センタ３０５のアドレスを記憶部４２０の監視センタアドレス３２３に記憶する。
【０１２１】
実施の形態４に係る監視センタ３０５の構成は、図１７に示す実施の形態３に係る監視センタの構成を示すブロック図と同一であり、監視センタ３０５の動作も図１９に示す本発明の実施の形態３に係る監視センタの離脱連絡部の動作を説明するフロー図と同じである。
【０１２２】
以上のように構成された集団監視システム４０１において携帯通信装置４０２の監視処理部４１７について説明する。図２２は、本発明の実施の形態４に係る携帯通信装置の監視処理部の動作を説明するフロー図である。図２２は、図１２及び図１３に示す本発明の実施の形態２に係る集団監視部の動作を説明するフロー図から監視処理部４１７に関する処理を抜き出したフロー図であり、図１３に示す本発明の実施の形態２に係る集団監視部の動作を説明するフロー図と同じ処理ステップについては同一の符号を付す。
【０１２３】
図２２に示すように、携帯通信装置４０２の監視処理部４１７は、ＳＴ２２４において集団から離れたことを知らせる警告メッセージを表示し（ＳＴ２２４）、駆動部１１６を振動させてスピーカ１１７からアラーム音を出力した後（ＳＴ２２５）、位置情報検索部３１５によって携帯通信装置４０２の位置情報を取得して（ＳＴ４０１）、「孤立」を示すデータ、携帯通信装置４０２の位置情報、及び携帯通信装置４０２の電話番号１２５を監視センタアドレス３２３に従って携帯通信装置４０２の基地局通信部３１２から基地局３０３及び通信ネットワーク３０４を介して監視センタ３０５に送信し（ＳＴ４０２）、応答受信位置ｌに「０」を設定して（ＳＴ２２６）、ＳＴ２１３に戻る。
【０１２４】
以上、詳細に説明したように、本発明の実施の形態４によれば、携帯通信装置４０２の集団監視部４１４に、集団から離れたとき「孤立」を示すデータを監視センタ３０５に送信する監視処理部４１７を備え、監視センタ３０５に、携帯通信装置４０２ａ、４０２ｂ、４０２ｃ、…から「孤立」を示すデータを受信して連絡先リスト３３４に登録された携帯通信装置４０２ａ、４０２ｂ、４０２ｃ、…ごとの連絡先４０６ａ、４０６ｂ、４０６ｃ、…に集団から離れたことを送信する離脱連絡部３３２を備えたので、携帯通信装置４０２ａ、４０２ｂ、４０２ｃ、…は、他の携帯通信装置をメンバーリスト２０４に登録して集団を形成して集団から離れたときコストを掛けずにそれを携帯通信装置４０２ａ、４０２ｂ、４０２ｃ、…の連絡先４０６ａ、４０６ｂ、４０６ｃ、…に知らせることができた。
【０１２５】
また、携帯通信装置４０２にアンテナ１１１を介して衛星からＧＰＳ信号を受信し、現在位置を検索して位置情報を取得する位置情報検索部３１５を備えたので、携帯通信装置４０２ａ、４０２ｂ、４０２ｃ、…は、他の携帯通信装置をメンバーリスト２０４に登録して集団を形成して集団から離れたとき携帯通信装置４０２ａ、４０２ｂ、４０２ｃ、…の位置情報を携帯通信装置４０２ａ、４０２ｂ、４０２ｃ、…の連絡先４０６ａ、４０６ｂ、４０６ｃ、…に知らせることができる。
【０１２６】
尚、実施の形態４では、携帯通信装置４０２の集団監視部４１４に登録処理部２１６を備え、携帯通信装置４０２において他の携帯通信装置をメンバーリスト２０４に登録して集団を形成しているが、監視センタ３０５に登録処理部を備え、基地局３０３及びおよび通信ネットワーク３０４を介して監視センタ３０５に設けた登録処理部で他の携帯通信装置をメンバーリストに登録して集団を形成し、監視センタ３０５において登録されたメンバーリストを通信ネットワーク３０４及び基地局３０３を介して携帯通信装置４０２に配信するようにしてもよい。
【産業上の利用可能性】
【０１２７】
本発明に係る携帯通信装置及び集団監視システムは、近距離にある携帯通信装置と直接無線により通信を行う近距離通信機能を備えた携帯通信装置及び集団監視システムに関し、特に、近距離通信機能を利用して集団からの離脱を監視する携帯通信装置及び集団監視システムに関し、簡単な方法で集団を形成し、集団から離れたときコストを掛けずにそれを知らせることができるという効果を備え、特に、人や物が集団となって行動する際の安全をサポートする防犯サービス業に有効である。
【図面の簡単な説明】
【０１２８】
【図１】本発明の実施の形態１に係る集団監視システムの構成を示すブロック図
【図２】本発明の実施の形態１に係る呼び出し信号の構成を示す図
【図３】本発明の実施の形態１に係る集団監視システムの別の構成を示すブロック図
【図４】本発明の実施の形態１に係る携帯通信装置の構成を示すブロック図
【図５】本発明の実施の形態１に係る集団監視サービス画面の例を示す図
【図６】本発明の実施の形態１に係る集団監視部の動作を説明するフロー図
【図７】本発明の実施の形態２に係る集団監視システムの構成を示すブロック図
【図８】本発明の実施の形態２に係る照会信号の構成を示す図
【図９】本発明の実施の形態２に係る応答信号の構成を示す図
【図１０】本発明の実施の形態２に係る携帯通信装置の構成を示すブロック図
【図１１】本発明の実施の形態２に係る集団監視サービス画面の例を示す図
【図１２】本発明の実施の形態２に係る集団監視部の動作を説明するフロー図
【図１３】本発明の実施の形態２に係る集団監視部の動作を説明するフロー図
【図１４】本発明の実施の形態２に係る集団監視システムの別の構成を示すブロック図
【図１５】本発明の実施の形態３に係る集団監視システムの構成を示すブロック図
【図１６】本発明の実施の形態３に係る携帯通信装置の構成を示すブロック図
【図１７】本発明の実施の形態３に係る監視センタの構成を示すブロック図
【図１８】本発明の実施の形態３に係る携帯通信装置の受信監視部の動作を説明するフロー図
【図１９】本発明の実施の形態３に係る監視センタの離脱連絡部の動作を説明するフロー図
【図２０】本発明の実施の形態４に係る集団監視システムの構成を示すブロック図
【図２１】本発明の実施の形態４に係る携帯通信装置の構成を示すブロック図
【図２２】本発明の実施の形態４に係る携帯通信装置の監視処理部の動作を説明するフロー図
【符号の説明】
【０１２９】
１０１、２０１、３０１、４０１  集団監視システム
１０３、２０２、２０３、３０２、４０２  携帯通信装置
１０２  グループコード
１０４  呼び出し信号
１０５、２０７  近距離通信エリア
１１２  近距離通信部
１１３、２１４  集団監視部
１１８  発信タイマ
１１９  受信タイマ
１２２、２１６  登録処理部
１２３  発信処理部
１２４、３２４  受信処理部
２０４  メンバーリスト
２０５、３３３  電話番号
２０６  照会信号
２０８  応答信号
２１５  タイマ
２１７、４１７  監視処理部
２１８  照会信号生成部
３０３  基地局
３０４  通信ネットワーク
３０５  監視センタ
３０６、４０６  連絡先
３１２  基地局通信部
３１５  位置情報検索部
３２３  監視センタアドレス
３３４  連絡先リスト
【図１】
2007074574.tif 000003
【図２】
2007074574.tif 000004
【図３】
2007074574.tif 000005
【図４】
2007074574.tif 000006
【図５】
2007074574.tif 000007
【図６】
2007074574.tif 000008
【図７】
2007074574.tif 000009
【図８】
2007074574.tif 000010
【図９】
2007074574.tif 000011
【図１０】
2007074574.tif 000012
【図１１】
2007074574.tif 000013
【図１２】
2007074574.tif 000014
【図１３】
2007074574.tif 000015
【図１４】
2007074574.tif 000016
【図１５】
2007074574.tif 000017
【図１６】
2007074574.tif 000018
【図１７】
2007074574.tif 000019
【図１８】
2007074574.tif 000020
【図１９】
2007074574.tif 000021
【図２０】
2007074574.tif 000022
【図２１】
2007074574.tif 000023
【図２２】
2007074574.tif 000024
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
近距離にある携帯通信装置と直接無線による通信を行う近距離通信手段と、
複数の携帯通信装置によって形成される集団を識別するグループ情報を記憶する記憶手段と、
前記グループ情報によって同じ集団を形成する他の携帯通信装置と前記近距離通信手段による通信が行えることを監視する監視手段と、
前記監視手段において前記同じ集団を形成する他の携帯通信装置と前記近距離通信手段による通信が行えない場合、前記集団から離脱したことを知らせる報知手段と、
を備えることを特徴とする携帯通信装置。
【請求項２】
前記グループ情報を前記記憶手段に記憶する登録手段を備えることを特徴とする請求項１に記載の携帯通信装置。
【請求項３】
前記グループ情報は、同じ集団内で共通のグループコードであり、前記近距離通信手段は、前記同じ集団を形成する他の携帯通信装置が発信する前記共通のグループコードを含む呼び出し信号を受信し、前記監視手段は、前記近距離通信手段による前記共通のグループコードを含む呼び出し信号の受信を定期的に監視し、前記共通のグループコードを含む呼び出し信号を所定時間以上受信できない場合、前記報知手段によって前記集団から離脱したことを知らせることを特徴とする請求項１又は請求項２に記載の携帯通信装置。
【請求項４】
前記近距離通信手段は、前記記憶手段に記憶される前記共通のグループコードを含む呼び出し信号を定期的に発信する発信手段を備えることを特徴とする請求項３に記載の携帯通信装置。
【請求項５】
前記グループ情報は、同じ集団を形成する他の携帯通信装置を装置識別情報によって記憶したメンバーリストであり、前記近距離通信手段は、前記メンバーリストに記憶された前記装置識別情報を含む照会信号を定期的に送信して前記照会信号に対する応答信号を受信し、前記監視手段は、前記近距離通信手段によって定期的に送信される照会信号に対する応答信号の受信を監視し、前記メンバーリストに記憶された全ての前記装置識別情報が示す携帯通信装置に照会信号を送信したにもかかわらず、前記メンバーリストに記憶されたどの前記装置識別情報が示す携帯通信装置の応答信号も受信できなかったとき、前記報知手段によって前記集団から離脱したことを知らせることを特徴とする請求項１または請求項２に記載の携帯通信装置。
【請求項６】
監視センタと通信ネットワーク及び基地局を介して通信を行う基地局通信手段と、
近距離にある携帯通信装置と直接無線による通信を行う近距離通信手段と、
複数の携帯通信装置によって形成される集団を識別するグループ情報を記憶する記憶手段と、
前記グループ情報によって同じ集団を形成する他の携帯通信装置と前記近距離通信手段による通信が行えることを監視する監視手段と、
前記監視手段において前記同じ集団を形成する他の携帯通信装置と前記近距離通信手段による通信が行えない場合、前記基地局通信手段によって孤立したことを示すデータを前記監視センタに送信する報知手段と、
を備えることを特徴とする携帯通信装置。
【請求項７】
前記グループ情報を前記記憶手段に記憶する登録手段を備えることを特徴とする請求項６に記載の携帯通信装置。
【請求項８】
自装置の地理上の位置情報を取得する位置情報取得手段を備え、
前記報知手段は、前記監視手段において前記同じ集団を形成する他の携帯通信装置と前記近距離通信手段による通信が行えない場合、前記孤立したことを示すデータと、前記位置情報取得手段によって取得した前記位置情報を前記監視センタに送信し、前記監視センタの前記離脱連絡手段は、受信した前記位置情報を前記連絡先に送信することを特徴とする請求項６または請求項７に記載の携帯通信装置。
【請求項９】
複数の携帯通信装置を基地局及び通信ネットワークを介して監視センタに接続した集団監視システムであって、
前記携帯通信装置は、
前記監視センタと前記通信ネットワーク及び基地局を介して通信を行う基地局通信手段と、
近距離にある携帯通信装置と直接無線による通信を行う近距離通信手段と、
前記複数の携帯通信装置によって形成される集団を識別するグループ情報を記憶する記憶手段と、
前記グループ情報によって同じ集団を形成する他の携帯通信装置と前記近距離通信手段による通信が行えることを監視する監視手段と、
前記監視手段において前記同じ集団を形成する他の携帯通信装置と前記近距離通信手段による通信が行えない場合、前記基地局通信手段によって孤立したことを示すデータを前記監視センタに送信する報知手段と、
を備え、
前記監視センタは、
前記携帯通信装置と前記基地局及び通信ネットワークを介して通信を行う通信手段と、
前記携帯通信装置の連絡先を記憶する記憶手段と、
前記通信手段を介して前記携帯通信装置から前記孤立したことを示すデータを受信したとき、前記記憶手段に記憶された前記携帯通信装置の連絡先に前記集団から離脱したことを送信する離脱連絡手段と、
を備えることを特徴とする集団監視システム。